(57)【要約】【課題】遠隔から特定のユーザが設備機器の制御や監視を行うことを可能とする設備機器管理装置を提供する。【解決手段】設備機器制御装置２は、制御部２１と、Ｗｅｂサーバ２２とを備えている。Ｗｅｂサーバ２２は、認証テーブル２２１を有しており、ここに記憶される認証情報に基づいてユーザ認証を行う。制御部２１は、Ｗｅｂサーバ２２により認証を受けたユーザから、Ｗｅｂブラウザ５１上での空調機３の制御、例えば設定温度の変更や、暖房・冷房の切換の指令や、空調機３の監視、例えば空調機３の状態を示す情報の送信要求を受け付け、これを実行する。【選択図】　図１
2004046812.tif 000002
【特許請求の範囲】
【請求項１】
設備機器（３）を管理するための設備機器管理装置（２）であって、
ユーザ識別子と前記設備機器（３）の識別子とを対応付けた認証情報（２２１）に基づいて、前記設備機器（３）の監視及び制御を要求するユーザを認証する認証手段（２２）と、
認証されたユーザのユーザ識別子に対応する設備機器（３）を前記ユーザの要求に応じて監視及び／または制御する制御手段（２１）と、
を備えた設備機器管理装置（２）。
【請求項２】
Ｗｅｂブラウザ（５１）を介して前記ユーザとの情報の送受信を行うＷｅｂサーバ（２２）をさらに備えた、請求項１に記載の設備機器管理装置（２）。
【請求項３】
前記設備機器（３）は空気調和機である、請求項１または２に記載の設備機器管理装置（２）。
【請求項４】
前記ユーザの要求により、前記認証情報（２２１）を変更可能である、請求項１から３のいずれかに記載の設備機器管理装置（２）。
【請求項５】
前記設備機器（３）が接続される第１ネットワークと接続可能な第１接続部と、
前記ユーザの要求を伝達する第２ネットワークと接続可能な第２接続部と、
をさらに備える、
請求項１から４のいずれかに記載の設備機器管理装置（２）。
【請求項６】
前記ユーザにより選択された複数の前記設備機器（３）への運転指令が前記ユーザにより要求された際に、前記制御手段（２１）は、複数の前記設備機器（３）に対して間隔を空けて運転指令を順次行う、請求項１から５のいずれかに記載の設備機器管理装置（２）。
【請求項７】
前記間隔を設定可能である、請求項６に記載の設備機器管理装置（２）。
【請求項８】
前記ユーザにより要求された複数の前記設備機器（３）の運転指令の実行中において、前記ユーザから運転指令の中止が要求された場合に、前記制御手段（２１）は、前記設備機器（３）への運転指令を中断する、請求項７または８に記載の設備機器管理装置（２）。
【請求項９】
請求項１から８のいずれかに記載の設備機器管理装置（２）と、
前記認証手段（２２）により認証を受けることで、前記制御手段（２１）によりユーザ識別子に対応する前記設備機器（３）の監視及び／または制御が可能となるユーザ端末（５）と、
前記制御手段（２１）により前記設備機器（３）の全てについて監視及び制御を行うための中央管理装置（１）と、
を備えた設備機器管理システム。
【請求項１０】
設備機器（３）が接続される第１ネットワークを介して設備機器（３）を管理する設備機器管理装置（２）と、
ユーザ識別子と前記設備機器（３）の識別子とを対応付けた認証情報（２２１）に基づいて前記設備機器（３）の監視及び制御を要求するユーザを認証する認証手段（２２）と、認証されたユーザのユーザ識別子に対応する設備機器（３）を前記ユーザの要求に応じて監視及び／または制御する制御手段（２１）と、を有し、前記第１ネットワークを介して設備機器（３）を管理する管理認証装置と、
第２ネットワークを介して前記管理認証装置に接続し、前記認証手段（２２）により認証を受けることで、前記制御手段（２１）によりユーザ識別子に対応する前記設備機器（３）の監視及び／または制御が可能となるユーザ端末（５）と、
設備機器管理装置（２）を介して前記設備機器（３）の全てについて監視及び制御を行うための中央管理装置（１）と、
を備えた設備機器管理システム。
【請求項１１】
前記管理認証装置は、前記ユーザ端末のＷｅｂブラウザ（５１）を介して前記ユーザとの情報の送受信を行うＷｅｂサーバ（２２）をさらに備えた、請求項１０に記載の設備機器管理システム。
【発明の詳細な説明】
【０００１】
【発明の属する技術分野】
本発明は、設備機器の監視及び制御を可能にする設備機器管理装置及び設備機器管理システムに関する。
【０００２】
【従来の技術】
ビルの電力、照明、空調、防災などの設備機器を統合管理するシステムとして、ビルオートメーション（ＢＡ）システムが普及している。図１は、ＢＡシステムの一例である。このシステムは、中央管理装置１と、設備機器管理装置１０２と、設備機器１０３とから構成される。中央管理装置１は、専用線などのネットワーク４により、設備機器制御装置１０２と接続される。設備機器管理装置１０２は、２芯式ケーブルなどにより設備機器１０３と接続される。設備機器管理装置１０２は、例えば空調機（設備機器１０３）の室温設定、冷暖房設定などの各種設定を中央管理装置１から受け付け、その設定を行う。
【０００３】
【発明が解決しようとする課題】
このような従来のＢＡシステムの中央管理装置１は、通常中央管理室などビルの一般利用者が入室できない場所に設置されており、操作方法を教育されたビル管理者により操作が行われる。従って、ビルの一般利用者は、例えば冷房の設定温度を上げるなど設備機器１０３の設定を変更したい場合、その都度管理者に連絡を取って設定を変更してもらう必要があり、煩雑である。
【０００４】
本発明は、特定のユーザが設備機器の制御及び／または監視を行うことを可能とする設備機器管理装置を提供することを目的とする。
【０００５】
【課題を解決するための手段】
請求項１に係る設備機器管理装置は、設備機器を管理するための設備機器管理装置であって、認証手段と、制御手段とを備えている。認証手段は、ユーザ識別子と設備機器の識別子とを対応付けた認証情報に基づいて、設備機器の監視及び制御を要求するユーザを認証する。制御手段は、認証されたユーザのユーザ識別子に対応する設備機器を、ユーザの要求に応じて監視及び制御する。
【０００６】
ここでは、Ｗｅｂブラウザなどにより設備機器管理装置にログオンしようとするユーザが、認証情報に基づいて認証される。ユーザ及び設備機器は、それぞれユーザ識別子及び設備機器の識別子（以下、設備機器識別子）で一意に識別され、認証情報には、ユーザ識別子と設備機器の識別子とが対応付けられている。従って、認証情報によりユーザと所定の設備機器との対応が定まる。認証されたユーザは、そのユーザと対応する設備機器をＷｅｂブラウザなどにより監視及び／または制御することが可能となる。
【０００７】
このように、ここでは認証されたユーザが所定の設備機器を監視及び／または制御することが可能となる。
請求項２に係る設備機器管理装置は、請求項１に係る設備機器管理装置において、Ｗｅｂブラウザを介してユーザとの情報の送受信を行うＷｅｂサーバをさらに備えている。
【０００８】
ここでは、Ｗｅｂブラウザを介してユーザの認証、設備機器の監視及び／または制御が可能となる。
請求項３に係る設備機器管理装置は、請求項１または２に係る設備機器管理装置において、設備機器は空気調和機である。
ここでは、認証されたユーザが所定の空気調和機を監視及び／または制御することが可能となる。
【０００９】
請求項４に係る設備機器管理装置は、請求項１から３のいずれかに記載の設備機器管理装置において、ユーザの要求により、認証情報を変更可能である。
ここでは、認証情報を変更可能であるため、ユーザが監視及び／または制御できる設備機器の変更が容易となる。
請求項５に係る設備機器管理装置は、請求項１から４のいずれかに記載の設備機器管理装置において、第１接続部と第２接続部とをさらに備える。第１接続部は、設備機器が接続される第１ネットワークと接続可能である。第２接続部は、ユーザの要求を伝達する第２ネットワークと接続可能である。
【００１０】
ここでは、設備機器管理装置が第１ネットワーク及び第２ネットワークに接続可能となっている。このため、第２ネットワークから要求を行うユーザが別個のネットワークである第１ネットワークに接続される設備機器の監視及び／または制御を行うことが可能となる。
請求項６に係る設備機器管理装置は、請求項１から５のいずれかに記載の設備機器管理装置において、ユーザにより選択された複数の設備機器への運転指令がユーザにより要求された際に、制御手段は、複数の設備機器に対して間隔を空けて運転指令を順次行う。
【００１１】
ここでは、ユーザから一時に複数の設備機器に対して運転指令が要求された際に、間隔を空けて設備機器１台ずつに対して順次運転指令を行う。これにより、例えば設備機器の運転開始に伴う電圧降下を最小限に抑えることができる。
請求項７に係る設備機器管理装置は、請求項６に記載の設備機器管理装置において、間隔を設定可能である。
【００１２】
ここでは、運転指令の間隔を任意に設定することができる。よって、複数の設備機器に対する運転指令の完了時刻を任意に変更することが可能となる。
請求項８に係る設備機器管理装置は、請求項７または８に記載の設備機器管理装置において、ユーザにより要求された複数の設備機器の運転指令の実行中において、ユーザから運転指令の中止が要求された場合に、制御手段は、設備機器への運転指令を中断する。
【００１３】
ここでは、複数の設備機器に対する全ての指令が完了する前にユーザから中止を要求された場合に、運転指令を中断する。これにより、設備機器に対してユーザの意向を汲んだ制御などを行うことが可能となる。
請求項９に係る設備管理システムは、請求項１から８のいずれかに記載の設備機器管理装置と、ユーザ端末と、中央管理装置とを備えている。ユーザ端末は、認証手段により認証を受けることで、制御手段によりユーザ識別子に対応する設備機器の監視及び／または制御が可能となる。中央管理装置は、制御手段により前記設備機器の全てについて監視及び制御を行う。
【００１４】
ここでは、ユーザ端末に設けられたＷｅｂブラウザなどで認証手段にアクセスして認証を受けることで、Ｗｅｂブラウザなどにより所定の設備機器の遠隔監視及び／または制御が可能となる。
請求項１０に係る設備機器管理システムは、設備機器管理装置と、管理認証装置と、ユーザ端末と、中央管理装置とを備えている。設備機器管理装置は、設備機器が接続される第１ネットワークを介して設備機器を管理する。管理認証装置は、認証手段と制御手段とを有し、第１ネットワークを介して設備機器を管理する。認証手段は、ユーザ識別子と設備機器の識別子とを対応付けた認証情報に基づいて設備機器の監視及び制御を要求するユーザを認証する。制御手段は、認証されたユーザのユーザ識別子に対応する設備機器をユーザの要求に応じて監視及び／または制御する。ユーザ端末は、第２ネットワークを介して管理認証装置に接続し、認証手段により認証を受けることで、制御手段によりユーザ識別子に対応する設備機器の監視及び／または制御が可能となる。中央管理装置は、設備機器管理装置を介して設備機器の全てについて監視及び制御を行う。
【００１５】
ここでは、Ｗｅｂブラウザなどにより管理認証装置にログオンしようとするユーザが、認証情報に基づいて認証される。ユーザ及び設備機器は、それぞれユーザ識別子及び設備機器の識別子（以下、設備機器識別子）で一意に識別され、認証情報には、ユーザ識別子と設備機器の識別子とが対応付けられている。従って、認証情報によりユーザと所定の設備機器との対応が定まる。認証されたユーザは、そのユーザと対応する設備機器をＷｅｂブラウザなどにより監視及び／または制御することが可能となる。
【００１６】
このように、ここでは認証されたユーザが所定の設備機器を監視及び／または制御することが可能となる。
また、管理認証装置が第１ネットワーク及び第２ネットワークに接続可能となっている。このため、第２ネットワークから要求を行うユーザが別個のネットワークである第１ネットワークに接続される設備機器の監視及び／または制御を行うことが可能となる。
【００１７】
請求項１１に係る設備機器管理システムは、請求項１０に記載の設備機器管理システムにおいて、管理認証装置は、ユーザ端末のＷｅｂブラウザを介してユーザとの情報の送受信を行うＷｅｂサーバをさらに備えている。
ここでは、Ｗｅｂブラウザを介してユーザの認証、設備機器の監視及び／または制御が可能となる。
【００１８】
【発明の実施の形態】
＜第１実施形態＞
図２は、本発明に係る設備機器管理装置を利用したＢＡシステムの全体構成図である。このシステムは、中央管理装置１と、設備機器管理装置２と、空調機３と、操作端末５とが専用線などのネットワーク４により互いに接続されて構成される。中央管理装置１は、設備機器管理装置２を介して空調機３の監視、設定、制御などを行う。操作端末５は、例えばパソコンなどにより構成可能であり、Ｗｅｂブラウザ５１を有する。後述するように、Ｗｅｂブラウザ５１によりユーザが設備機器管理装置２にアクセスして空調機３の監視、設定などを行うことが可能である。複数のユーザの操作端末５がネットワーク４に接続されていてもよい。
【００１９】
設備機器管理装置２は、制御部２１と、Ｗｅｂサーバ２２とを備えている。Ｗｅｂサーバ２２は、認証テーブル２２１を有しており、ここに記憶される認証情報に基づいてユーザ認証を行う。図３は、認証テーブル２２１に記憶される認証情報の概念説明図である。この認証情報は、ユーザＩＤと空調機ＩＤとの組み合わせからなる。Ｗｅｂサーバ２２は、この認証情報に基づいてユーザの認証を行う。例えば、操作端末５によりＷｅｂサーバ２２にアクセスしてきたユーザのユーザＩＤが「ｕ００１」の場合、このユーザには空調機ＩＤ「ａ００１」のみの制御や監視を受け付ける。なお、各ユーザが行うことができる制御や監視の内容を認証情報に含めてもよい。例えば、ユーザｕ００１は、「設定温度の変更」だけ可能である一方、ユーザｕ００２は、「設定温度の変更」及び「暖房・冷房の切換」が可能であるなどである。このようにすれば、特定の制御や監視を中央管理装置１だけで行うようにしたり、中央管理装置１と操作端末５との制御指令の競合を回避することも可能である。
【００２０】
制御部２１は、Ｗｅｂサーバ２２により認証を受けたユーザ（以下、認証ユーザという）から、Ｗｅｂブラウザ５１上での空調機３の制御、例えば設定温度の変更や、暖房・冷房の切換の指令や、空調機３の監視、例えば空調機３の状態を示す情報の送信要求を受け付け、これを実行する。
制御部２１は、認証ユーザからの制御の指令に基づいて空調機３の制御や監視を行うため、認証を受けたユーザは遠隔から自由に空調機３の制御や監視を行うことが可能である。
【００２１】
＜第２実施形態＞
図４は、本発明に係る設備機器管理装置を利用したＢＡシステムの全体構成図である。このシステムは、第１実施形態と同様に、中央管理装置１と、設備機器管理装置２と、空調機３と、操作端末５とが互いに接続されて構成される。
以下では、第１実施形態との相違点を中心に説明する。
【００２２】
設備機器管理装置２は、制御部２１とＷｅｂサーバ２２とを備えている。設備機器管理装置２は、中央管理装置１とＢＡネットワーク４ａを介して接続される。また、設備機器管理装置２は、空調機ネットワーク４ｂを介して複数の空調機３と、ＯＡネットワーク４ｃを介して操作端末に、それぞれ接続されている。
Ｗｅｂサーバ２２は第１実施形態と同様に認証テーブル２２１を有しており、この認証テーブル２２１はユーザＩＤと空調機ＩＤとの組合せからなる認証情報を記憶する。なお、一つのユーザＩＤに対して複数の空調機ＩＤが登録されていたり、複数のユーザＩＤに渡って同一の空調機ＩＤが登録されていたりしても良い。また、操作端末５からＷｅｂサーバ２２にアクセスすることにより、認証情報の内容が変更可能であっても良い。
【００２３】
制御部２１は、操作端末５からＷｅｂサーバ２２にアクセスする認証ユーザから、空調機３の制御や監視に関する要求を受け付け、これを実行する。ここで、複数の空調機３に対する制御指令、特に電源投入などの消費電力の変化に関連する制御指令が認証ユーザからなされた場合において、間隔を空けて各空調機３への制御を実行する。この時間間隔は、５秒間隔が初期設定とされているが、Ｗｅｂブラウザ５１上における設定により、任意に設定変更が可能である。また、複数の空調機３への制御が実行中である際に、認証ユーザから制御指令の中止が要求されることがある。制御中止の要求を受けると、制御部２１は、制御を中断する。
【００２４】
以上により、操作端末５から設備機器管理装置２へのアクセスは、ＢＡネットワーク４ａとは別ネットワークであるＯＡネットワーク４ｃを介してアクセスされる。このため、ＢＡネットワーク４ａや中央管理装置１の負荷を抑えつつ、空調機３の制御や監視を操作端末５から行うことが可能となる。
また、認証情報の内容変更が可能であるため、例えば空調機３が空気調和を行う対象空間の部屋割りなどが変更された際にも、中央管理装置１の設定を変更することなく空調機３の制御対象を変更することが可能となる。
【００２５】
さらに、複数の空調機３に対する制御指令を一時に行うと、電源負荷が増加するために電圧低下などの弊害が生じうる。ここでは、複数の空調機３に対する制御指令が間隔を空けて行われるため、このような弊害を避けることができる。また、この間隔を設定可能であるため、例えば複数の空調機３への指令完了時刻を任意に設定することができる。
【００２６】
複数の空調機３への制御指令を中止する要求が認証ユーザから生じた際にも、制御部２１の制御を中断することができるため、ユーザの意向を汲んだ制御を行うことが可能となる。
＜第３実施形態＞
図５は、本発明に係る設備機器管理装置を利用したＢＡシステムの全体構成図である。このシステムは、中央管理装置１と、設備機器管理装置２と、空調機３と、操作端末５と、管理認証装置６とが互いに接続されて構成される。
【００２７】
以下では、第２実施形態と同様に、第１実施形態との相違点を中心に説明する。
設備機器管理装置２は、中央管理装置１から指令を受けることにより空調機３の監視、設定、制御などを行う。
管理認証装置６は、制御部６１と、Ｗｅｂサーバ６２とを備えている。管理認証装置６は、空調機ネットワーク４ｂを介して複数の空調機３と、またＯＡネットワーク４ｃを介して操作端末５と、それぞれ接続されている。
【００２８】
Ｗｅｂサーバ６２は、第１実施形態のＷｅｂサーバ２２と同様に、認証テーブル６２１を有しており、ここに記憶される認証情報に基づいてユーザ認証を行う。図３は、認証テーブル６２１に記憶される認証情報の概念説明図である。この認証情報は、ユーザＩＤと空調機ＩＤとの組み合わせからなる。Ｗｅｂサーバ６２は、この認証情報に基づいてユーザの認証を行う。なお、一つのユーザＩＤに対して複数の空調機ＩＤが登録されていたり、複数のユーザＩＤに渡って同一の空調機ＩＤが登録されていたりしても良い。また、操作端末５からＷｅｂサーバ６２にアクセスすることにより、認証情報の内容が変更可能であっても良い。
【００２９】
制御部６１は、Ｗｅｂサーバ６２により認証を受けた認証ユーザから、Ｗｅｂブラウザ５１上での空調機３の制御、例えば設定温度の変更や、暖房・冷房の切換の指令や、空調機３の監視、例えば空調機３の状態を示す情報の送信要求を受け付け、これを実行する。ここで、複数の空調機３に対する制御指令、特に電源投入などの消費電力の変化に関連する制御指令が認証ユーザからなされた場合において、間隔を空けて各空調機３への制御を実行する。この時間間隔は、５秒間隔が初期設定とされているが、Ｗｅｂブラウザ５１上における設定により、任意に設定変更が可能である。また、複数の空調機３への制御が実行中である際に、認証ユーザから制御指令の中止が要求されることがある。制御中止の要求を受けると、制御部６１は、制御を中断する。
【００３０】
以上により、操作端末５から管理認証装置６にアクセスすることにより、空調機３の制御や監視を行うことが可能となる。操作端末５から管理認証装置６へのアクセスは、ＢＡネットワーク４ａとは別ネットワークであるＯＡネットワーク４ｃを介してアクセスされる。このため、ＢＡネットワーク４ａや中央管理装置１の負荷を抑えつつ、空調機３の制御や監視を操作端末５から行うことが可能となる。
【００３１】
また、認証情報の内容変更が可能であるため、例えば空調機３が空気調和を行う対象空間の部屋割りなどが変更された際にも、中央管理装置１の設定を変更することなく空調機３の制御対象を変更することが可能となる。
さらに、複数の空調機３に対する制御指令を一時に行うと、電源負荷が増加するために電圧低下などの弊害が生じうる。ここでは、複数の空調機３に対する制御指令が間隔を空けて行われるため、このような弊害を避けることができる。
【００３２】
複数の空調機３への制御指令を中止する要求が認証ユーザから生じた際にも、制御部６１の制御を中断することができるため、ユーザの意向を汲んだ制御を行うことが可能となる。
＜その他の実施形態＞
前記第１〜３実施形態では、制御部２１、６１は、認証ユーザからの制御や監視の指令に基づいて空調機３の制御を行っていた。しかし、空調機３の代わりに、電力設備、照明設備、空調設備、防災設備などの各種設備機器をネットワーク４に接続し、制御部２１は、認証ユーザからの制御の指令に基づいて各種設備機器の制御や監視を行ってもよい。このようにすれば、認証を受けたユーザは遠隔から自由に各種設備機器の制御や監視を行うことが可能である。
【００３３】
【発明の効果】
請求項１に係る発明では、認証されたユーザが所定の設備機器を監視及び／または制御することが可能となる。
請求項２に係る発明では、Ｗｅｂブラウザを介してユーザの認証、設備機器の監視及び／または制御が可能となる。
【００３４】
請求項３に係る発明では、認証されたユーザが所定の空気調和機を監視及び／または制御することが可能となる。
請求項４に係る発明では、ユーザが監視及び／または制御できる設備機器の変更が容易となる。
請求項５に係る発明では、第２ネットワークから要求を行うユーザが別個のネットワークである第１ネットワークに接続される設備機器の監視及び／または制御を行うことが可能となる。
【００３５】
請求項６に係る発明では、例えば設備機器の運転開始に伴う電圧降下を最小限に抑えることができる。
請求項７に係る発明では、複数の設備機器に対する運転指令の完了時刻を任意に変更することが可能となる。
請求項８に係る発明では、設備機器に対してユーザの意向を汲んだ制御などを行うことが可能となる。
【００３６】
請求項９に係る発明では、ユーザ端末に設けられたＷｅｂブラウザなどで認証手段にアクセスして認証を受けることで、Ｗｅｂブラウザなどにより所定の設備機器の監視及び／または制御が可能となる。
請求項１０に係る発明では、認証されたユーザが所定の設備機器を監視及び／または制御することが可能となる。
【００３７】
請求項１１に係る発明では、Ｗｅｂブラウザを介してユーザの認証、設備機器の監視及び／または制御が可能となる。
【図面の簡単な説明】
【図１】従来のＢＡシステムの一例。
【図２】第１実施形態に係るＢＡシステムの全体構成図。
【図３】認証テーブルに記憶される情報の概念説明図。
【図４】第２実施形態に係るＢＡシステムの全体構成図。
【図５】第３実施形態に係るＢＡシステムの全体構成図。
【符号の説明】
１：中央管理装置
２：設備機器管理装置
２１：制御部
２２：Ｗｅｂサーバ
２２１：認証テーブル
２３：第１接続部
２４：第２接続部
３：空調機
４：ネットワーク
４ａ：ＢＡネットワーク
４ｂ：空調機ネットワーク
４ｃ：ＯＡネットワーク
５：操作端末
６：管理認証装置
６１：制御部
６２：Ｗｅｂサーバ
６２１：認証テーブル
【図１】
2004046812.tif 000003
【図２】
2004046812.tif 000004
【図３】
2004046812.tif 000005
【図４】
2004046812.tif 000006
【図５】
2004046812.tif 000007